(57)【要約】【課題】  光ピックアップやスピンドルモータの形状変更を強いることなく、スリム型の光ディスクドライブ等にも好適であり、光ディスクの通常の情報記録領域よりも内周側の特定情報を読み取り可能な光ディスク装置および情報処理装置を提供する。【解決手段】  光ディスク上に記憶されている主情報を読み取る光ピックアップ２と、半径Ｒ１７〜半径Ｒ２３の範囲に、副情報を読み取る光センサ４とを備え、光センサ４は光ディスクのスピンドルモータ１の中心を基準として、光ピックアップ２が移動する半径方向と１８０度逆方向の径を中心線として、左右に各１２０度の領域内に位置する光ディスク装置。【選択図】      図６
2006185556.tif 000002
【特許請求の範囲】
【請求項１】
回転駆動される光ディスクの半径方向に移動して、前記光ディスク上に主情報として形成される第１記録領域を読み取るための第１の読取手段と、
読取り中心位置が前記光ディスクの中心から半径Ｒ１７〜半径Ｒ２３の範囲内に位置し、前記光ディスク上に副情報として形成される第２の記録領域を読み取るための固定された第２の読取手段とを具備し、
前記第２の読取手段が、前記光ディスクの中心を基準として、前記第１の読取手段が移動する半径方向と１８０度逆方向の径を中心として、左右に各１２０度の領域内に位置することを特徴とする光ディスク装置。
【請求項２】
前記第２の読取手段は光センサであることを特徴とする請求項１に記載の光ディスク装置。
【請求項３】
前記第２の読取手段から出射される光に対向する位置に開口部を有するカバー部材を有し、このカバー部材に対向するメカシャーシに前記光ディスクの駆動機構、前記第１の読取手段および前記第２の読取手段が一体的に結合されていることを特徴とする請求項２に記載の光ディスク装置。
【請求項４】
前記第２の読取手段は、前記光ディスクを回転駆動するスピンドルモータの取り付け部材に、高さ調整を行うスペーサ部材を介して設置され、且つ前記第２の読取手段の信号を伝達する通電手段の上に実装されていることを特徴とする請求項２に記載の光ディスク装置。
【請求項５】
前記通電手段は、フレキシブルケーブル、又は前記スピンドルモータの駆動回路基板であることを特徴とする請求項４に記載の光ディスク装置。
【請求項６】
請求項１乃至５のいずれか一つに記載の光ディスク装置と、
当該光ディスク装置にて前記第１の読取手段にて読み取った前記第１記録領域の主情報と、前記第２の読取手段にて読み取った前記第２記録領域の副情報を選択的に処理する情報処理手段と
を備えたことを特徴とする情報処理装置。
【発明の詳細な説明】
【技術分野】
【０００１】
本発明は、光ディスク装置に係り、特に、光ディスクの第１の記録領域に主情報が記録されており、更に第１の記録領域の内周側の第２の記録領域に副情報が記録されている光ディスクに対し、前記主情報および副情報を選択的に再生することができる光ディスク装置および情報処理装置に関する。
【背景技術】
【０００２】
従来、光ディスクに記録されている情報を光ディスク装置の光ピックアップで読み取るためには、光ピックアップの対物レンズから出射されるレーザの可動範囲が光ディスクの情報の存在する半径方向の位置を網羅するように構成する必要がある。例えば、特許文献１に開示されている技術においては、光ディスクの通常の記録層（主情報）の内周側に、主情報とは異種の特定情報（副情報）が記録されている場合に、上述したように、光ピックアップのレーザの出射位置が、光ディスクの半径方向において主情報が存在する領域のみならず特定情報（副情報）の存在する領域にまで及ぶように構成する必要がある（例えば、特許文献１参照）。
【特許文献１】特開２００１−１０１６６８号公報。
【発明の開示】
【発明が解決しようとする課題】
【０００３】
しかし、上述した従来の技術において、レーザの出射位置を拡張し、光ディスクの通常の情報記録領域よりも内周側に記録されている特定情報の読取りを可能にするためには、光ピックアップおよびディスク回転モータ（スピンドルモータ）等の形状変更が必要になる。特に、スリム型の光ディスクドライブ等の省スペース化が必須の光ディスク装置においては、スペース上の制約がかなり厳しくなる
本発明の目的は、光ピックアップやスピンドルモータの形状変更を強いることなく、スリム型の光ディスクドライブ等にも好適であり、光ディスクの通常の情報記録領域よりも内周側の特定情報を読み取り可能な光ディスク装置および情報処理装置を提供することである。
【課題を解決するための手段】
【０００４】
上述した課題を解決するために本発明の光ディスク装置は、回転駆動される光ディスクの半径方向に移動して、前記光ディスク上に主情報として形成される第１記録領域を読み取るための第１の読取手段と、読取り中心位置が前記光ディスクの中心から半径Ｒ０〜半径Ｒ２３の範囲内に位置し、前記光ディスク上に副情報として形成される第２の記録領域を読みとるための固定された第２の読取手段とを具備しており、前記第２の読取手段が、前記光ディスクの中心を基準として、前記第１の読取手段が移動する半径方向と１８０度逆方向の径を中心として、左右に各１２０度の領域内に位置することを特徴とする。
【０００５】
このため、第１の読取手段とは別に、副情報の読取り用に固定配置された第２の読取手段を設けたことにより、光ピックアップやスピンドルモータの形状変更を強いることなく、スリム型の光ディスクドライブ等にも好適な、光ディスク装置および情報処理装置を提供することができる。
【発明の効果】
【０００６】
本発明を用いることにより、光ピックアップやスピンドルモータの形状変更を強いることなく、スリム型の光ディスクドライブ等にも好適な、光ディスクの通常の情報記録領域よりも内周側の特定情報を読み取り可能な光ディスク装置および情報処理を提供することができる。
【発明を実施するための最良の形態】
【０００７】
以下図面を参照して、本発明の実施形態を説明する。
【０００８】
図１は、本発明の情報処理装置である例えばノート型のパーソナルコンピュータを示した模式図である。パーソナルコンピュータ３０は、例えばＤＶＤドライブ等の内臓のスリム型光ディスク装置３２（図においては光ディスク装置のトレイが出ている状態を示している）を搭載している。このコンータ３０には、光ディスク装置３２に対し、光ディスクに記録するための情報や光ディスクから再生した情報を記憶する半導体メモリやハードディスク装置と、光ディスクへの情報の記録や再生を指示すると共に、これらの情報を処理するためのＣＰＵ等を備えている。特に本発明における情報処理装置においては、光ディスクの主情報と副情報を選択的に、つまり別々にも、また同時にも取り扱うことができる。
【０００９】
光ディスク装置３２は、図２に示すように、イジャクトボタン３４を備えており、このイジャクトボタン３４を押下する等により、ドロワー部が図３に示すように射出される。
【００１０】
当該ドロワー部は、図４に示すように、図中破線で示す光ディスク装置の駆動回路基板部９と、図中楕円で囲んだメカユニット８とから構成される。また、メカユニット８には本発明の第１の読取手段に該当する光ピックアップ（ＰＵＨ）２が設けられ、光ピックアップ２はディスク回転モータ（スピンドルモータ）１を中心とした半径方向であるα方向に駆動される。
【００１１】
メカユニット８は、図５に示すように、スピンドルモータ１と、光ピックアップ２と、本発明で新たに搭載した第２の読取手段に該当する、光ディスクの内周部の特定情報等を読み取るための光センサ４と、スピンドルモータ１、光ピックアップ２および光ピックアップ２を駆動させる機構等を保持するシャーシ６と、これらのメカ部を覆うためのカバー部材７と、読み取りレーザを射出するため光ピックアップ２に搭載されている対物レンズ１０とから構成されている。なお、メカユニット８は、フレキシブルケーブル（ＦＰＣ）１４によって、光ディスク装置３２の所定の回路基板に接続される。
【００１２】
ここで、カバー部材７の光センサ４に対向する部分には開口部が設けられ、光センサ４の光射出に支障が出ないように構成している。このように、必要最小限の開口部を設けることにより、カバー部材７の強度低下を防止することができる。
【００１３】
次に、本発明で新たに搭載した光センサ４の構成について、図６を参照して説明する。図６は、メカユニット８を図５とは反対側（裏面）から見た平面図である。
【００１４】
また、この平面図はスピンドルモータ１の中心を基準として示されている。そして、径方向は、スピンドルモータ１の中心と光ピックアップ２に搭載されている対物レンズ１０の中心とを結んだ半径方向の径βを中心線として示している。この径βを中心線として左右６０度の範囲（合計１２０度の範囲）以外、つまり光ピックアップ２が移動する半径方向と１８０度逆方向の径を中心線として左右に各１２０度の領域内であって、かつ、スピンドルモータ１の中心から半径Ｒ１７〜半径Ｒ２３の範囲内、すなわち、斜線で示した範囲内に光センサ４を配置する。この斜線の範囲内に光センサ４を設置することにより、光ピックアップ２からのレーザと干渉せずに、また半径Ｒ１７〜半径Ｒ２３に設置することにより光ディスクの通常の情報記録領域よりも更に内周側に記録された特定情報を大抵の場合に読み取ることができる。ここで、光ディスクの内周部の特定情報とは、例えば、光ディスクの通常であれば透明な素材となっている部分に記録されている情報であり、光ディスクへの記録あるいは再生動作を制御するための制御情報や、主情報の種類やコンテンスを示すための付属情報等、様々な副情報として利用することができる。なお、本発明の実施形態では、径βを中心として左右６０度の範囲以外の範囲としたが、光ピックアップ２に対し十分な距離を与え、光センサ４および光ピックアップ２のいずれからも他方に干渉しないように、より安全に配置するには、径βを中心線としてとして左右９０度〜１６０度の範囲に設置することが好ましい。
【００１５】
また図７に示すように、スピンドルモータ１の取り付け機構は、駆動回路基板１６と、この駆動回路基板１６と光ディスク装置３２の回路系とを接続するためのフレキシブルケーブル１４と、光センサ４を適当な高さに設置するためのスペーサ部材１２と、スペーサ部材１２上に配置され、光センサ４と駆動回路基板１６とを接続するためのフレキシブルケーブル１３と、スピンドルモータ１の取付板１１とから構成される。
【００１６】
すなわち、光センサ４は、フレキシブルケーブル１３上に実装され、スピンドルモータ１の取付板１１上に、光センサ４が光ディスク上の情報を検知するのに必要な位置と高さになるように取付板１１にネジ止め等で固定されたスペーサ部材１２上に位置決め固定されると共に、フレキシブルケーブル１３は、スピンドルモータ１の駆動回路基板１６またはフレキシブルケーブル１４に半田付け等で接続され、光センサ４に通電、動作する。
【００１７】
また、光センサ４は、例えば図８に示すように、出光部４ａ、受光部４ｃ、出光部４ａと受光部４ｃとの光の干渉を防ぐための隔離部４ｂを備えている。出光部４ａから出た光は、光ディスク３０で反射し、受光部４ｃで受光される。なお、光センサ４は、出光部４ａと受光部４ｃとが１つとなった構成としてもよい。
【００１８】
図７に示した実施形態では、光センサ４を実装するフレキシブルケーブル１３と、スピンドルモータ１の駆動回路基板１６またはフレキシブルケーブル１４は分離した構造であるが、これらを一体的に形成するようにしてもよい。この場合、製造工数・コスト面に関して有利となる。
【００１９】
次に、本発明の実施形態に係る別の実施形態を図９に示す。
【００２０】
当該実施形態では、光センサ４を実装するフレキシブルケーブルを使用せずに光センサ４を検知に必要な高さに設置できるように基板１５を実装する。この基板１５は、駆動回路基板１６またはフレキシブルケーブル１４に実装し、光センサ４に通電、動作させる。このような構成とすることで、図７に示したフレキシブルケーブル１３を使用しなくても基板１５を通して光センサ４を通電させることができ、製造工数や部品点数の削減等が可能となる。
【００２１】
また、さらに別の実施形態としては、以下のような構成が考えられる。上述した実施形態では、スピンドルモータ１に光センサ４を搭載した構成となっているが、メカユニット８の構成部材であるシャーシ６に光センサ４を実装した基板またはフレキシブルケーブルを取付け、これをスピンドルモータ１の駆動回路またはフレキシブルケーブル、あるいは、光ディスクドライブの駆動回路に接続し、光センサ４に通電、動作させることも可能である。以下、光センサ４をシャーシ６に搭載する場合の構成を図１０〜図１３を参照して説明する。なお、シャーシ６部分については合わせて図５も参照されたい。
【００２２】
図１０に示すように、何も搭載されていないシャーシ６上の光センサ用孔４ｄに接合するように、光センサ４、フレキシブルケーブル１３、固定版２０、固定ネジ２１の順に設置する。図１２は、シャーシ６の裏面から見た斜視図である。シャーシ６上に光センサ４、フレキシブルケーブル１３、固定版２０、固定ネジ２１の順に設置した後は、図１１に示すような状態となる。なお、図１３は、シャーシ６の裏面から見た斜視図である。
【００２３】
以上説明したように、本発明の上記各実施形態によれば、光ディスクの通常の情報記録領域よりも内周側の特定情報を読み取るために、光ピックアップとは別に光センサを設けたことにより、光ピックアップの可動範囲を拡張させることなく、よって光ピックアップやスピンドルモータの形状変更を行うことなく、スリム型の光ディスクドライブ等にも好適な、光ディスク装置を提供することができる。また、光センサを固定とし、その最適な配置を行うことにより、構成を複雑化することなく、省スペース性を維持した構造となっている。
【００２４】
更には、光ピックアップと光センサを別個に設けることにより、光ピックアップによって主情報の読み取りや記録を行っている最中にも、光センサによって特定情報（副情報）を読み取ることができるため、例えば副情報によって主情報の再生や記録を制御する必要がある場合には、主情報の再生や記録を中断することなく、リアルタイムに制御することが可能になる。
【００２５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２６】
【図１】本発明の実施形態に関する情報処理装置であるパーソナルコンピュータを示した模式図。
【図２】本発明の実施形態に関する光学ドライブを示した模式図。
【図３】本発明の実施形態に関する光学ドライブからドロワー部が射出した状態を示した模式図。
【図４】本発明の実施形態に関する光学ドライブのドロワー部を示した模式図。
【図５】本発明の実施形態に関する光学ドライブのメカユニットを示した模式図。
【図６】本発明の実施形態に関する光学ドライブの光センサ等の配置を示した模式図。
【図７】本発明の実施形態に関するスピンドルモータの構成を示した斜視図。
【図８】本発明の実施形態に関する光センサの構成を示した斜視図。
【図９】本発明の別の実施形態に関するスピンドルモータの構成を示した斜視図。
【図１０】本発明の別の実施形態に関する光センサをシャーシ部分に搭載した場合の構成を示した斜視図。
【図１１】本発明の別の実施形態に関する光センサをシャーシ部分に搭載した場合の構成を示した斜視図。
【図１２】本発明の別の実施形態に関する光センサをシャーシ部分に搭載した場合の構成を示した斜視図。
【図１３】本発明の別の実施形態に関する光センサをシャーシ部分に搭載した場合の構成を示した斜視図。
【符号の説明】
【００２７】
１…スピンドルモータ、２…光ピックアップ、４…光センサ、６…シャーシ、７…カバー部材、８…メカユニット、９…駆動回路基板部、１０…レンズ、１１…取付板、１２…スペーサ部材、１３…フレキシブルケーブル、１４…フレキシブルケーブル、１５…基板、１６…駆動回路基板、３０…パーソナルコンピュータ、３２…光ディスク装置、３４…イジャクトボタン
【図１】
2006185556.tif 000003
【図２】
2006185556.tif 000004
【図３】
2006185556.tif 000005
【図４】
2006185556.tif 000006
【図５】
2006185556.tif 000007
【図６】
2006185556.tif 000008
【図７】
2006185556.tif 000009
【図８】
2006185556.tif 000010
【図９】
2006185556.tif 000011
【図１０】
2006185556.tif 000012
【図１１】
2006185556.tif 000013
【図１２】
2006185556.tif 000014
【図１３】
2006185556.tif 000015